(57)【特許請求の範囲】
【請求項１】
コの字形背もたれの左右側辺下端から前方へアームレストをそれぞれ一体的に屈曲形成し、該アームレスト前部から前下方に前脚をそれぞれ延設し、該アームレストの前脚延設部より後側の位置に後脚上端部をそれぞれ枢着し、該後脚間には座部の後縁部を枢着差渡し、該座部裏面前部にグリップを設け、該前脚の間に使用状態で該座部のグリップが係合するバーを差渡し、使用状態では該前脚と該後脚とを開きかつ該座部裏面のグリップを該前脚の間に差渡されているバーに係合保持または係合掴持することによって該座部を水平状態に支持し、折畳み状態では該前脚と該後脚とを閉じてかつ該座部を跳ね上げ状態にして折畳み可能とすることを特徴とするシャワー用折畳み椅子。
【請求項２】
該座部が後方へ回動するのを防止する係止手段を設けることにより、使用時に該座部が跳ね上げ状態にならないようにした請求項１に記載のシャワー用折畳み椅子。
【請求項３】
該座部裏面と該前脚との間に後端を回動自在に支持され、該前脚に前端を回動自在に支持されたリンクを該座部裏面と該前脚との間に差渡し、使用状態で該前脚と該後脚との開度を該リンクによって規制した請求項１または請求項２に記載のシャワー用折畳み椅子。
【請求項４】
該座部には複数個の水抜き孔が設けられている請求項１〜請求項３のいづれか１つの請求項に記載のシャワー用折畳み椅子。
【請求項５】
該背もたれは使用者が腰掛けた時、使用者の背中の少なくとも上半部が露出するように低く設定されている請求項１〜請求項４のいづれか１つの請求項に記載のシャワー用折畳み椅子。
【請求項６】
該アームレストの長さは該座部よりも短く設定されている請求項１〜請求項５のいづれか１つの請求項に記載のシャワー用折畳み椅子。
【請求項７】
該前脚と該後脚とは長さ調節可能にされている請求項１〜請求項６のいづれか１つの請求項に記載のシャワー用折畳み椅子。
【発明の詳細な説明】
【０００１】
【産業上の利用分野】
本発明はシャワー用の折畳み椅子に関するものである。
【０００２】
【従来の技術】
従来、例えば病人、老人、身障者等がシャワーを使用する場合に用いる折畳み可能なシャワー用椅子(10)として、図８および図９に示すように、該シャワー用椅子(10)を使用しないときには場所をとらないように該シャワー用椅子(10)の脚(20,20) を折畳んでコンパクトにすることが出来るシャワー用椅子(10)が提供されている（実願平９−１０９７号）。
【０００３】
【発明が解決しようとする課題】
しかしながら、上記従来の構成では該シャワー用椅子(10)の脚(20,20) を折畳む際に、該シャワー用椅子(10)を転倒させて裏返し状態にする必要があるため、浴室等の比較的狭い場所では煩雑さは免れないという問題があった。また、該シャワー用椅子(10)は、使用時に脚(20,20) の折畳み部分(20A,20A) がぐらつくため、着座時および使用時における安定性が欠けるという問題点もあった。
【０００４】
【課題を解決するための手段】
本発明は上記従来の課題を解決するための手段として、コの字形背もたれ(2) の左右側辺下端から前方へアームレスト(3,3) をそれぞれ一体的に屈曲形成し、該アームレスト(3,3) 前部から前下方に前脚(4,4) をそれぞれ延設し、該アームレスト(3,3) の前脚(4,4) 延設部より後側の位置に後脚(5,5) 上端部をそれぞれ枢着し、該後脚(5,5) 間には座部(6) の後縁部を枢着差渡し、該座部(6) 裏面前部にグリップ(63,63) を設け、該前脚(4,4) の間に使用状態で該座部(6) のグリップ(63,63) が係合するバー(4A)を差渡し、使用状態では該前脚(4,4) と該後脚(5,5) とを開きかつ該座部(6) 裏面のグリップ(63,63) を該前脚(4,4) の間に差渡されているバー(4A)に係合保持または係合掴持することによって該座部(6) をを水平状態に支持し、折畳み状態では該前脚(4,4) と該後脚(5,5) とを閉じてかつ該座部(6) を跳ね上げ状態にして折畳み可能とするシャワー用折畳み椅子(1) を提供するものである。
【０００５】
該座部(6) が後方へ回動するのを防止する係止手段を設けることにより、使用時に該座部(6) が跳ね上げ状態にならないようにするのが望ましい。
【０００６】
該座部(6) 裏面と該前脚(4,4) との間に後端を回動自在に支持され、該前脚(4,4) に前端を回動自在に支持されたリンク(64,64) を該座部(6) 裏面と該前脚(4,4) との間に差渡し、使用状態で該前脚(4,4) と該後脚(5,5) との開度を該リンク(64,64) によって規制することが望ましく、更に、該座部(6) には複数個の水抜き孔(61,61) が設けられていることが望ましく、また更に、該背もたれ(2) は使用者が腰掛けた時、使用者の背中の少なくとも上半部が露出するように低く設定されていることが望ましく、また更に、該アームレスト(3,3) の長さは該座部(6) よりも短く設定されていることが望ましく、また更に、該前脚(4,4) と該後脚(5,5) とは長さ調節可能にされていることが望ましい。
【０００７】
【作用】
本発明のシャワー用折畳み椅子(1) では、コの字形背もたれ(2) の左右側辺下端から前方へアームレスト(3,3) をそれぞれ屈曲形成し、該アームレスト(3,3) 前部から前下方に前脚(4,4) をそれぞれ延設し、該アームレスト(3,3) の前脚(4,4) 延設部より後側の位置に後脚(5,5) 上端部をそれぞれ枢着し、該後脚(5,5) 間には座部(6) の後縁部を枢着差渡すことにより、使用状態では該前脚(4,4) と該後脚(5,5) とを開きかつ該座部(6) を水平状態に支持し、折畳み状態では該前脚(4,4) と該後脚(5,5) とを閉じてかつ該座部(6) を跳ね上げ状態にすればよく、浴室等の比較的狭い場所でも容易に折畳むことが可能となる。また、脚に折畳み構造を有していないため、着座時および使用時にも安定性を損なうことがなく良好な使用感を得ることが出来る。
更に、コの字形背もたれ(2) の左右側辺下端から前方へアームレスト(3,3) を屈曲形成した場合、使用者は該アームレスト(3,3) に腕を乗せて支持させることが出来、立ち座りの際には該アームレスト(3,3) に掴まることが出来る。
【０００８】
更に該座部(6) 裏面前部にグリップ(63,63) を設け、該前脚(4,4) の間に使用状態で該座部(6) のグリップ(63,63) が係合するバー(4A)を差渡す構成とし、該グリップ(63,63) が該バー(4A)を掴持することにより、該座部(6) が後方へ回動するのを防止することが出来る。
また更に、座部(6) の裏面に先端部にフック(62A,62B) を有する支持杆(62,62) 根端部を枢着し、前脚(4,4) 間に使用状態で該支持杆(62,62) のフック(62B,62B) が係合するバー(4B)を差渡す構成とした場合、該支持杆(62,62) のフック(62B,62B) を該バー(4B)に係合させることにより、該座部(6) が後方へ回動するのを防止することが出来る。この場合、該支持杆(62)の先端部の上側フック(62A) と下側フック(62B) とが互いに対向していれば、該上側フック(62A) と該バー(4A)とが係合した状態で安定となり該座部(6) が前方に回動して開くのを防ぐことが出来る。
【０００９】
【発明の実施の形態】
〔実施例１〕
本発明を図１〜図４に示す一実施例によって説明する。シャワー用折畳み椅子(1) は、コの字形背もたれ(2) と、該コの字形背もたれ(2) の左右側辺下端から前方へそれぞれ屈曲形成される一対のアームレスト(3,3) と、該アームレスト(3,3) 前部から前下方にそれぞれ延設される一対の前脚(4,4) と、該アームレスト(3,3) の前脚(4,4) 延設部より後側の位置に上端部がそれぞれ枢着される一対の後脚(5,5) と、該一対の後脚(5,5) 間に枢着差渡される座部(6) とからなる。
【００１０】
該背もたれ(2) は、使用者が腰掛けた時、使用者の背中の少なくとも上半部が露出するように低く設定されている。
【００１１】
該背もたれ(2) の高さ位置が低く設定されているため、使用者または介助者は該背もたれ(2) に干渉されることなく使用者の背中を容易に洗うことが可能となる。
【００１２】
該アームレスト(3,3) の長さは該座部(6) よりも短く設定され（該座部(6) の前後長の略半分）、該アームレスト(3,3) の先端は使用者が掴むのを容易にするために丸角とされる。
【００１３】
該アームレスト(3,3) を設けたため、使用者は該アームレスト(3,3) に腕を乗せて支持させて安楽にすることが出来、また立ち座りの際には該アームレスト(3,3) に掴まって体を安定させることが出来る。更に、該アームレスト(3,3) を背もたれ(2) と一体形成したことにより、該背もたれ(2) 下部の干渉域を大幅に減少することが出来、該背もたれ(2) と座部(6) との間の空間を大きく確保することが可能となるため、使用者または介助者は使用者の背中を容易に洗うことが出来る。
更に、該アームレスト(3,3) の長さを該座部(6) よりも短く設定することにより、使用者は該シャワー用折畳み椅子(1) の斜め横からも容易に立ち座りすることが出来る。
【００１４】
該前脚(4,4) の間には上側バー(4A)および下側バー(4B)が差渡される。また、該前脚(4,4) および該後脚(5,5) の下部には摺動脚部(7,7) がそれぞれ外挿され、該摺動脚部(7) には上下に複数個のピン孔(71,71) が列設され、該ピン孔(71)内には内側からスプリング（図示せず）によって付勢された位置決めピン(72)が挿入される。該位置決めピン(72)を指で押し込み、該摺動脚部(7) を上下摺動させて長さを所定に調整した状態で該ピン孔(71)内に該位置決めピン(72)を係合して固定することにより、該前脚(4) および該後脚(5) は長さを調節する。更に、該前脚(4,4) の摺動脚部(7,7) および後脚(5,5) の摺動脚部(7,7) の先端部にはそれぞれゴム脚(8,8) が挿着され、該ゴム脚(8) の中央部には水抜き孔(81)が設けられ、該ゴム脚(8) の底面は使用状態において水平になるように設定されている。
【００１５】
該前脚(4,4) と該後脚(5,5) とは長さ調節可能にされているため、使用者の体型に合わせて座面の高さを調節することが可能となる。
また、該前脚(4,4) の摺動脚部(7,7) および後脚(5,5) の摺動脚部(7,7) の先端部にはそれぞれゴム脚(8,8) が挿着されているため、該シャワー用折畳み椅子(1) が滑るのを防止することが出来、更に、該ゴム脚(8) には水抜き孔(81)が設けられているため、該ゴム脚(8) 内に水が溜まるのを防止することが出来る。
【００１６】
該座部(6) には該座部(6) に水が溜まるのを防止するために複数個の水抜き孔(61,61) が設けられ、該座部(6) の裏面には先端部に上側フック(62A) と下側フック(62B) とを有する左右二本の支持杆(62,62) の根端部が枢着され、更に該座部(6) 裏面の前部には使用状態で該前脚(4,4) 間の上側バー(4A)が係合するグリップ(63,63) が設けられる。また、該座部(6) 裏面と該前脚(4,4) との間には該座部(6) 裏面に後端を回動自在に支持され、該前脚(4,4) に前端を回動自在に支持されている左右二本のリンク(64,64) が差渡され、使用状態では該リンク(64,64) によって該前脚(4,4) と該後脚(5,5) との開度が規制されている。
【００１７】
該シャワー用折畳み椅子(1) を使用状態にするには、該前脚(4,4) と該後脚(5,5) とを開き、該前脚(4,4) の間の上側バー(4A)を該座部(6) 裏面前部のグリップ(63,63) に係合させて該座部(6) を水平状態に支持し、更に、該座部(6) 裏面に枢着された該支持杆(62,62) の先端部の下側フック(62B,62B) を該前脚(4,4) 間の下側バー(4B)に係合させる。
【００１８】
上記使用状態において、該前脚(4,4) の間の上側バー(4A)を該座部(6) 裏面前部のグリップ(63,63) に係合させて該座部(6) を水平支持するため、着座時に該座部(6) が不安定となるのを防ぐことが出来る。また、該前脚(4,4) と該後脚(5,5) との開度は該座部(6) と該前脚(4,4) との間のリンク(64,64) によって規制されるため、該前脚(4,4) と該後脚(5,5) が過度に開くのを防止することが出来る。
更に、該座部(6) 裏面に枢着された該支持杆(62,62) の先端部の下側フック(62B,62B) を該前脚(4,4) 間の下側バー(4B)に係合させることにより、着座時に該シャワー用折畳み椅子(1) の座部(6) が不意に後方へ回動して使用者が転倒するのを防ぐことが出来る。
【００１９】
該シャワー用折畳み椅子(1) を折畳み状態にするには、該前脚(4,4) 間の下側バー(4B)に係合している該支持杆(62,62) の下側フック(62B,62B) を取外し、該前脚(4,4) と該後脚(5,5) とを閉じてかつ該座部(6) を跳ね上げ状態にして、該座部(6) 裏面の該支持杆(62,62) の先端部の上側フック(62A,62A) を該前脚(4,4) 間の上側バー(4A)に係合させる。
【００２０】
上記折畳み状態においては、該座部(6) 裏面の該支持杆(62,62) の上側フック(62A,62A) が該前脚(4,4) 間の上側バー(4A)に係合することにより、該シャワー用折畳み椅子(1) の持ち運び等をする際に該座部(6) が開くのを防止することが出来る。
【００２１】
本実施例以外、図５に示すように該支持杆(62)の先端部の上側フック(62A) と下側フック(62B) とは互いに対向していてもよい。この場合には、該上側フック(62A) と該バー(4A)とが係合した状態で安定となるため、該座部(6) が前方に回動して開くのを簡単かつ確実に防ぐことが出来る。
【００２２】
〔実施例２〕
図６および図７には他の実施例が示される。本実施例においては、図１〜図４に示した前実施例において座部(6) の裏面に支持杆(62,62) が枢着されかつ使用状態で前脚(4,4) 間の上側バー(4A)を係合保持するグリップ(63,63) が設けられたのに対して、該座部(6) 裏面に使用状態で該上側バー(4A)に係合して掴持するグリップ(63A,63A) を設ける。
【００２３】
該シャワー用折畳み椅子(1) を使用状態にするには、該前脚(4,4) と該後脚(5,5) とを開き、該前脚(4,4) の間の上側バー(4A)に該座部(6) 裏面前部のグリップ(63A,63A) を押し付けると、該グリップ(63A,63A) は弾性的に押し開かれ、該上側バー(4A)は該グリップ(63A,63A) に係合掴持された状態で該座部(6) を水平状態に支持する。
上記使用状態において、該前脚(4,4) の間の上側バー(4A)を該座部(6) 裏面前部のグリップ(63A,63A) に掴持させて該座部(6) を水平支持するため、着座時に該座部(6) が不安定となるのを防ぐことが出来、該シャワー用折畳み椅子(1) が不意に後方へ回動して使用者が転倒するのを防ぐことが出来る。
また、該シャワー用折畳み椅子(1) を折畳み状態にするには、該前脚(4,4) 間の上側バー(4A)を該座部(6) 裏面のグリップ(63A,63A) から取外し、該前脚(4,4) と該後脚(5,5) とを閉じてかつ該座部(6) を跳ね上げ状態にする。
【００２４】
上記実施例以外、図１〜図５に示した実施例において座部(6) の裏面に使用状態で前脚(4,4) 間の上側バー(4A)を係合保持するグリップ(63,63) が設けられたのに対して、該座部(6) 裏面に使用状態で該上側バー(4A)に係合して掴持するグリップ(63A,63A) を設けてもよい。
【００２５】
【発明の効果】
本発明のシャワー用折畳み椅子では、浴室等の比較的狭い場所でも容易に折畳むことが可能となり、着座時および使用時にも安定性を損なうことがなく良好な使用感を得ることが出来る。更に、該座部が後方へ回動するのを防止する係止手段を設けた場合、着座時に該シャワー用折畳み椅子が不意に折畳み状態になり使用者が後方へ転倒するのを防ぐことが出来る。
【図面の簡単な説明】
図１〜図４は本発明の一実施例を示すものである。
【図１】使用状態におけるシャワー用折畳み椅子の斜視図
【図２】使用状態におけるシャワー用折畳み椅子の説明側断面図
【図３】折畳み状態におけるシャワー用折畳み椅子の斜視図
【図４】折畳み状態におけるシャワー用折畳み椅子の説明側断面図
【図５】上側フックと下側フックとが互いに対向する支持杆を有するシャワー用折畳み椅子（折畳み状態）の斜視図
【図６】他の実施例におけるシャワー用折畳み椅子（使用状態）の説明側断面図
【図７】図６において座部裏面のグリップがバーに係合する様子を示す説明斜視図
【図８】従来例のシャワー用折畳み椅子（使用状態）の斜視図
【図９】従来例において折り畳み状態にする様子を示す説明斜視図
【符号の説明】
1             シャワー用折畳み椅子
2             コの字形背もたれ
3             アームレスト
4             前脚
4A          上側バー
4B          下側バー
5             後脚
6             座部
61          水抜き孔
62          支持杆
62A     上側フック
62B     下側フック
63,63A      グリップ
64          リンク
【図１】
0003754623.tif 000002
【図２】
0003754623.tif 000003
【図３】
0003754623.tif 000004
【図４】
0003754623.tif 000005
【図５】
0003754623.tif 000006
【図６】
0003754623.tif 000007
【図７】
0003754623.tif 000008
【図８】
0003754623.tif 000009
【図９】
0003754623.tif 000010